(57)【特許請求の範囲】
【請求項１】
前面に開口した窪みを有し、該窪みが隔壁により上下に２分され、該隔壁がブロック前面においてその厚みが上、下、又は上下に広がった隔壁先端面を有することを特徴とする魚巣用積ブロック。
【請求項２】
隔壁先端面が積ブロックの窪みを囲繞する外周面よりも突出した形状であることを特徴とする請求項１記載の魚巣用積ブロック。
【請求項３】
隔壁に２分された窪みを連通する貫通孔が穿設されていることを特徴とする請求項１又は請求項２に記載する魚巣用積ブロック。
【請求項４】
前面に開口した窪みを有し、該窪みが隔壁により上下に２分され、該隔壁がブロック前面においてその厚みが上、下、又は上下に広がった隔壁先端面を有する魚巣用積ブロックを、河川の水面下であって、且つ比較的浅い部位に、２分された窪みが相互に上下に配列するように配置しながら他の擁壁用の積ブロックに混ぜて積上げることを特徴とする魚巣用積ブロックの施工方法。
【発明の詳細な説明】
【０００１】
【産業上の利用分野】
本発明は、河川に擁壁を築くにあたり、魚類の産卵及び稚魚の隠れ場所を確保し、魚類の生息を積極的に推進しながら河川の氾濫を防ぐ魚巣用積ブロック及びその施工方法に関する。
【０００２】
【従来の技術】
天然の河川は岩や土砂が積み上げられて種々の凹凸や窪みを有し、岩面には苔が生え、更には土砂から水草が生えて魚類の産卵や稚魚の隠れ場所を提供していたため、種々の水生動植物の生育に都合の良い環境を与えていた。
一方、河川の氾濫を防止する必要上、コンクリート、或いはコンクリートブロック等により河川に擁壁を築くと、上記の水生動植物の生育に支障をきたし魚の住まない潤いのない河川になってしまった。
【０００３】
上記矛盾を解決するため、種々の魚巣用ブロックが提案されている。例えば、稚魚が入れる穴を設けた積ブロック、水草の生える凹凸を設けた積ブロック、苔が生えやすいように表面を粗面化したブロックなどが提案されている。
【０００４】
【発明が解決しようとする課題】
しかしながら、これら従来の方法は稚魚の隠れ場所は提供しているが、産卵に関しての配慮に欠けるものであった。魚類は水面近くの水草に産卵する。これは水深の深いところに産卵すると卵に土砂が付着して孵化し難いためである。更に大型の魚はあまり水面近くに来ないため、孵化した稚魚にとって水面付近は生育率の高い場所でもある。
そこで、水面近くに水草を繁茂させ、且つ稚魚の隠れ場所も提供できると共に、積ブロックとして必須の要件である充分な強度を有する積ブロックが求められていた。
【０００５】
【課題を解決するための手段】
本発明は上記課題を解決することを目的とし、その構成は、前面に開口した窪みを有し、該窪みが隔壁により上下に２分され、該隔壁がブロック前面においてその厚みが上、下、又は上下に広がり、積ブロックの窪みを囲繞する外周面よりも突出した隔壁先端面を有することを特徴とし、更に、この積ブロックを、河川の水面下であって、且つ比較的浅い部位に、２分された窪みが相互に上下に配列するように配置しながら他の擁壁用の積ブロックに混ぜて積上げることを特徴とする。
【０００６】
積ブロックとは河川、道路等の崖面の土留めに使用される擁壁構築用のブロックであり、単に積上げるのみで充分な土留め効果を有するように深い控え部分、すなわち奥行きを有する。
本発明における積ブロックは、河川の流路に積上げるものであり、２分〜８分（２分とは底辺１高さ２の直角三角形を底辺を水平にして立てた場合の斜辺の傾斜である。）の急斜面を形成できる積ブロックの一部に代えて使用できものである。したがって、周囲の積ブロックを施工した時に外に露出する面と同一の大きさ或いはその整数倍の大きさであることを要する。
【０００７】
すなわち、本発明の積ブロックを１個のみ置換する場合には表面が同一大きさであり、縦に２個並べて置換する場合には縦に２倍の大きさであり、横に複数個置換する場合には横に複数倍の大きさであることを要する。積上げた時の深さは必ずしも同一でなくてもよい。
更に、コンクリート部分は鉄筋コンクリートとすることが好ましい。従来から通常使用されていた積ブロックは無筋コンクリートであった。積ブロック自体一辺３００ｍｍから１５００ｍｍ程度の大型ブロックである。
【０００８】
本発明の積ブロックにはその水面と接する面、すなわち前面に外周面を残して窪みを設ける。この窪みは積ブロックとして必要な強度を確保するように、外周面の厚みを充分にとった上で可及的に広いことが好ましい。
本発明はあくまでも積ブロックであるため、積ブロックとしての強度が必要である。したがって、設けられた窪みと少なくとも同等の厚さの密実な窪みのないコンクリート部分が窪みの底部に存在することが好ましい。
【０００９】
更に窪み内には施工した状態で、窪みを上下に２分する隔壁を設ける。隔壁は窪みの中央部が好ましいが、上下の窪みに多少の大小があっても差支えない。隔壁は外周面よりも突出している。本発明の積ブロックは隔壁がほぼ水平になるように配置し、この隔壁上に砂利などを入れて水草を生育させるため、充分な採光を確保できるように隔壁を水中に突出させることが望ましい。
突出させる程度は５〜１０ｃｍ程度である。隔壁を突出させると採光上は問題ないが、水路に障害物が突出するため水路の容積確保の点で一見好ましくないが、水路中に突出した容積よりはるかに大きい窪みが存在するため、容積確保の問題は解消される。
更に、上部窪みは採光の点で特に深い必要はなく、強度設計の都合上、上部窪みが下部窪みより浅かったり、或いは日が射さない部位を斜めに躯体コンクリートで固めても本発明の目的は達成される。
【００１０】
更に隔壁は先端部でその厚みが広がった形状であることが好ましい。厚みが広がったとは断面図で見れば上下両方に広がったＴ字型が好ましい。しかし、隔壁先端面の上または下の一方のみを延出させた「『」字状或いは「Ｌ」を１８０°回転させた逆Ｌ字形型であっても本発明の目的は達成される。
施工した状態における上部窪みは隔壁上に砂利などを敷き、水草が生育するための土壌を形成するため、この砂利の流出を防ぐ上で隔壁先端の広がった部分は砂利止めとして機能する。
【００１１】
下部窪みは稚魚の隠れ場所を提供する。魚類は入口が狭く奥が深い穴を好むため、隔壁の先端を下方に突出させたＴ字型或いは逆Ｌ字型隔壁は下部窪みの入口を狭くする効果を有して好ましい。
更に隔壁に１個又は２以上の貫通孔を設けると、水草が成長するに伴い根も成長し、貫通孔を通過して下部窪み内にまで根が伸び、この伸びた根が稚魚の恰好の隠れ場所を提供する。根の成長を促すことにより水草は元気に繁茂し、下部窪み内に浮遊している根自体が稚魚の隠れ場所になる。一方、根の発育には暗い場所が好ましく、下方に延出した隔壁の先端面は根の発育にとっても好ましい効果を有する。
【００１２】
施工するにあたっては通常の積ブロックの作業と同様に勾配に合わせて根固め工を配置し、その上に常法に従って積ブロックを積上げていくのであるが、その際各所に本発明の魚巣用積ブロックを配置する。配置にあたっては窪み面を水面に向け、上部窪みの隔壁上には水草用の砂利を敷き、水草を植える。
配置する高さは水深の比較的浅い部位であるが、増水時と渇水時とで水深の相違の大きい河川であれば、渇水時にも少なくとも水草の根が露出しない部位が好ましい。
更に、河川の状況で魚類が好む淀みを形成しやすい部位には多くの本発明積ブロックを配置し、急流部位には少なく配置するなどの調節が可能である。
【００１３】
【作用】
積ブロックの水と接する面に窪みを設け、この窪み内に上下の隔壁を設けて上部窪みと下部窪みに分画し、上部窪み内を水草の生育に供し、下部窪み内を魚の隠れ場所とする本発明により、完全にコンクリートで覆われた水路であっても、浅い部位に水草を繁茂させ、魚の産卵場所を確保することに成功した。魚は河川の極く浅い部位に生える水草に産卵する。深い部位の水草に産卵した卵は水中の土砂や汚物を被りやすく、腐敗して孵化しないことが多いため魚類は浅い水草にしか産卵しない。
更に下部窪みは根の成長場所と稚魚の隠れ場所を提供する。積ブロックの表面に形成された大型の窪みや隔壁の先端面は護岸された河川に、魚類にとって天然の河川に近い環境を提供する。
【００１４】
【実施例】
図１は本発明の積ブロックの１実施例の平面図、図２は図１のＩＩ−ＩＩ線断面図、図３は施工した状態を示す断面図である。
【００１５】
Ａは縦１２５０ｍｍ、幅８００ｍｍ、高さ６５０ｍｍの直方体からなる魚巣用積ブロックであり、１は施工した時に水と接する面に設けられた窪みであり、２は窪み１を囲繞する外周面である。３は隔壁であり、本実施例においては分断された両方の窪みの上を一部覆うように隔壁の先端をＴ字型に突出させ、上方突出部４と下方突出部５を延出している。６は隔壁先端面である。隔壁３により窪み１は上部窪み７と下部窪み８に分断された。
隔壁３には複数個の貫通孔９を千鳥状に配置した。この貫通孔９を通過して上部窪み７に植えた水草の根が下部窪み８内にも張出し、水草を元気に生育させると共に、魚の恰好の隠れ場所を提供する。１０は本来の積ブロックの強度を確保するための底部コンクリート部分であり窪み１よりやや厚くした。更に全体のコンクリート部分に鉄筋を配して全体を補強した。
【００１６】
図３は図１及び図２に示した魚巣用積ブロックの施工状態を示す断面図である。１１は底ブロック、１２は根固め工であり、１３は本発明の積ブロックと高さを同一に揃えた補強積ブロックである。本実施例においては、根固め工１２の上の最下段に魚巣用積ブロックと同一の高さの補強用ブロック１３を載置し、この上に本発明の魚巣用積ブロックＡを載置した。更に、この上に通常の積ブロック１４を載置した。魚巣用積ブロック以外は無筋であった。１５は河川水、１６は水草用の砂利、１７は水草、１８は水草の根である。
水草１７は元気に成長し、水面に厚い水草の層ができ、ここに魚類が産卵することができた。下部窪み８内に多くの根を張出し、多くの稚魚がこの間を泳ぎ回っていた。
【００１７】
【発明の効果】
上下二段の窪みを有する本発明魚巣用積ブロックにより、本来の積ブロックの強度を損なうことなく、稚魚の隠れ場所を提供すると共に、魚類が積極的に産卵できる水草の生育を促進する魚巣用積ブロックを提供することができる。
【図面の簡単な説明】
【図１】図１は本発明の積ブロックの１実施例の平面図である。
【図２】図２は図１のＩＩ−ＩＩ線断面図である。
【図３】図３は施工した状態を示す断面図である。
【符号の説明】
Ａ  魚巣用積ブロック
１  窪み
２  外周面
３  隔壁
４  上方突出部
５  下方突出部
６  隔壁先端面
７  上部窪み
８  下部窪み
９  貫通孔
１０  底部コンクリート部分
１１  底ブロック
１２  根固め工
１３  補強積ブロック
１４  通常の積ブロック
１５  河川水
１６  砂利
１７  水草
１８  根
【図１】
0003610119.tif 000002
【図２】
0003610119.tif 000003
【図３】
0003610119.tif 000004